(57)【要約】【課題】クリップベース取り付けの位置決めを行うために、バーティブラ本体部に対して特別な加工を行うことなく、さらに部品コストの低廉化を図ることができて組み付けが容易なバーティブラ及びクリップベースを提供すること。【解決手段】本発明に係るワイパー用バーティブラ２０は、払拭面に対して均一な付勢力を付加するために弓なりに湾曲した長尺板からなるバーティブラ本体部２１と、バーティブラ本体部２１に取り付けられてワイパーアームと係合するクリップベース２４と、バーティブラ本体部２１に取り付けられてリフィール１０を交換可能に保持するとともに、バーティブラ本体部２１の長尺方向におけるクリップベース２４の位置決めを行うホルダー２２とを備える。【選択図】  図１
2005035340.tif 000002
【特許請求の範囲】
【請求項１】
リフィールを保持するためのバーティブラであって、
払拭面に対して均一な付勢力を付加するために弓なりに湾曲した長尺板からなるバーティブラ本体部と、
該バーティブラ本体部に取り付けられてワイパーアームと係合するクリップベースと、
前記バーティブラ本体部に取り付けられて前記リフィールを交換可能に保持するとともに、当該バーティブラ本体部の長尺方向における前記クリップベースの位置決めを行うホルダーと
を備えることを特徴とするバーティブラ。
【請求項２】
前記クリップベースは、前記バーティブラ本体部の幅方向中央部で連結される一対のベース本体部により構成され、
各ベース本体部は、他のベース本体部との連結を行うための係合部と、他のベース本体部と連結することによって前記バーティブラ本体部を他のベース本体部とで幅方向より挟み込んで保持する保持部とを備えることを特徴とする請求項１に記載のバーティブラ。
【請求項３】
前記係合部には、前記他のベース本体部に形成された係合凸部に係合する係合凹部と、前記他のベース本体部に形成された係合凹部に係合する係合凸部とが形成されていることを特徴とする請求項２に記載のバーティブラ。
【請求項４】
前記一対のベース本体部は、同一の形状であることを特徴とする請求項２又は請求項３のいずれか１項に記載のバーティブラ。
【請求項５】
払拭面に対して均一な付勢力を付加するために弓なりに湾曲した長尺板からなるバーティブラ本体部に取り付けられるクリップベースであって、
前記バーティブラ本体部の幅方向中央部で連結される一対のベース本体部により構成され、
各ベース本体部は、他のベース本体部との連結を行うための係合部と、他のベース本体部と連結することによって前記バーティブラ本体部を他のベース本体部とで幅方向より挟み込んで保持する保持部とを備えることを特徴とするクリップベース。
【請求項６】
前記係合部には、前記他のベース本体部に形成された係合凸部に係合する係合凹部と、前記他のベース本体部に形成された係合凹部に係合する係合凸部とが形成されていることを特徴とする請求項５に記載のクリップベース。
【請求項７】
前記一対のベース本体部は、同一の形状であることを特徴とする請求項５又は請求項６に記載のクリップベース。
【発明の詳細な説明】
【０００１】
【発明の属する技術分野】
本発明は、リフィールを交換することが可能なワイパー用のバーティブラと、このバーティブラに取り付けられるクリップベースとに関する。
【０００２】
【従来の技術】
自動車用のワイパーには、ワイパーアームに対してワイパーブレードが回動可能に取り付けられており、ワイパーブレードは、ワイパーアームの可動に応じてフロントウィンドウ等に付着した雨滴の払拭を行う。
【０００３】
一般的なワイパーブレードは、払拭面の曲面に対して均等に付勢力を加えるために、プレイマリレバー、セカンダリレバー、ヨーク等の複数のアームをトーナメント状に組み立てたアーム保持機構と、払拭面を払拭するリフィールとにより構成されている。プライマリレバーの略中央には、ワイパーアームの先端との係合を行うクリップベースが設けられている。
【０００４】
一方、今日では、複数のアームを廃止したワイパーブレードが考案されている（例えば、引用文献１、引用文献２参照）。
【０００５】
【特許文献１】
特開２００２−５３０１２号公報  図１、図７参照。
【特許文献２】
特開２００３−１４６１９０号公報  図１参照。
【０００６】
【発明が解決しようとする課題】
しかしながら、複数のアームを廃止したワイパーブレードに対してクリップベースを取り付ける場合、特許文献１に開示されたワイパーブレードでは、バーティブラ本体部に形成された突部を用いてクリップベースの位置決めを行っているので、バーティブラ本体部に対して突部を形成する工程が必要となる。また、特許文献２に開示されたワイパーブレードにクリップベースを取り付ける場合にも、バーティブラ本体部に形成された切欠部を用いてクリップベースの位置決めを行っているので、バーティブラ本体部に欠落部を形成する工程が必要となるという問題があった。
【０００７】
また、引用文献１及び引用文献２に開示されているクリップベースは、形状の異なる複数のバーツによって構成されているので、部品の種類が多くなってしまい製造コストの上昇を招くおそれがあるという問題があった。
【０００８】
本発明は上記の問題に鑑みてなされたものであり、クリップベース取り付けの位置決めを行うために、バーティブラ本体部に対して特別な加工を行うことなく、さらに部品コストの低廉化を図ることができて組み付けが容易なバーティブラ及びクリップベースを提供することを課題とする。
【０００９】
【課題を解決するための手段】
上記課題を解決するために、請求項１に係る発明はリフィールを保持するためのバーティブラであって、払拭面に対して均一な付勢力を付加するために弓なりに湾曲した長尺板からなるバーティブラ本体部と、該バーティブラ本体部に取り付けられてワイパーアームと係合するクリップベースと、前記バーティブラ本体部に取り付けられて前記リフィールを交換可能に保持するとともに、当該バーティブラ本体部の長尺方向における前記クリップベースの位置決めを行うホルダーとを備えることを特徴とする。
【００１０】
請求項２に係る発明は、請求項１に記載のバーティブラにおいて、前記クリップベースが、前記バーティブラ本体部の幅方向中央部で連結される一対のベース本体部により構成され、各ベース本体部は、他のベース本体部との連結を行うための係合部と、他のベース本体部と連結することによって前記バーティブラ本体部を他のベース本体部とで幅方向より挟み込んで保持する保持部とを備えることを特徴とする。
【００１１】
請求項３に係る発明は、請求項２に記載のバーティブラにおいて、前記係合部に、前記他のベース本体部に形成された係合凸部に係合する係合凹部と、前記他のベース本体部に形成された係合凹部に係合する係合凸部とが形成されていることを特徴とする。
【００１２】
請求項４に係る発明は、請求項２又は請求項３のいずれか１項に記載のバーティブラにおいて、前記一対のベース本体部が、同一の形状であることを特徴とする。
【００１３】
請求項５に係る発明は、払拭面に対して均一な付勢力を付加するために弓なりに湾曲した長尺板からなるバーティブラ本体部に取り付けられるクリップベースであって、前記バーティブラ本体部の幅方向中央部で連結される一対のベース本体部により構成され、各ベース本体部は、他のベース本体部との連結を行うための係合部と、他のベース本体部と連結することによって前記バーティブラ本体部を他のベース本体部とで幅方向より挟み込んで保持する保持部とを備えるクリップベースであることを特徴とする。
【００１４】
請求項６に係る発明は、請求項５に記載のクリップベースにおいて、前記係合部に、前記他のベース本体部に形成された係合凸部に係合する係合凹部と、前記他のベース本体部に形成された係合凹部に係合する係合凸部とが形成されていることを特徴とする。
【００１５】
請求項７に係る発明は、請求項５又は請求項６に記載のクリップベースにおいて、前記一対のベース本体部は、同一の形状であることを特徴とする。
【００１６】
【発明の実施の形態】
以下、本発明に係るバーティブラを、図面を用いて説明する。
【００１７】
図１は、本発明に係るバーティブラ２０とリフィール１０とを示した斜視図であり、バーティブラ２０は、バーティブラ本体部２１と、６つのホルダー２２と、スペーサー２３と、クリップベース２４とを備えている。
【００１８】
バーティブラ本体部２１は、弾性を有する長尺金属板で構成されており、長尺方向に対して弓なりに湾曲した形状を呈している。バーティブラ本体部２１には、一定間隔Ｌを保って６個の凸部２５（符号２５ａ、２５ｂ含む）が配設されている。バーティブラ本体部２１は、円柱状に形成された弾性金属棒を径方向に圧縮することによって平らに加工したものである。このようにして加工することにより、角部が存在しない滑らかな断面形状を形成することが可能となるとともに、弓なりに湾曲させた長尺板の中央部を押し下げて平らにした場合に、バーティブラ本体部２１の下面に加えられる付勢力を均等にすることが容易となる。
【００１９】
ホルダー２２は、図２〜図６に示すように、底面３０に切り欠き部が形成された中空長方形柱を呈しており、中空内部幅長Ｒ１は、図７に示すように、バーティブラ本体部２１の幅長Ｒ２と同幅か僅かに幅広に規定されている。また、ホルダー２２の上面３１中央部には、凸部２５が勘合する嵌合孔３２が形成されている。なお、ホルダー２２は、嵌合孔３２の中心から、バーティブラ本体部２１の延設方向（長手方向）側端部までの長さがＬ５となるように規定されている。ホルダー２２は、バーティブラ本体部２１への取り付けを考慮して僅かな弾性を有する強化プラスチック又は金属で形成されている。
【００２０】
底面３０には、底面視略台形形状を呈する一対の底面係合部３０ａと、底面係合部３０ａに隣接して端部が上面３１側に折り返された断面Ｕ字形状を呈する側方係合部３０ｂとが設けられている。さらに、ホルダー２２の左右側面には、互いに対向する傾斜突起片３５が形成されており、対向する傾斜突起片３５の先端部は、側面より上面３１側に進むに従ってその間隔が狭くなっている。
【００２１】
スペーサー２３は、ホルダー２２と同様に、底面３６に切り欠き部が形成された中空長方形柱を呈しており、中空内部幅長Ｒ３は、図８に示すように、バーティブラ本体部２１の幅長Ｒ２と同幅か僅かに幅広に規定されている。また、中空内高さＨ１は、バーティブラ本体部２１の高さＨ２よりも嵩高となっており、スペーサー２３内に収納されたバーティブラ本体部２１が、ウィンドウ面を払拭する際に自由に上下動できるように隙間３７が設けられている。この隙間３７は、払拭時にリフィール１０のエッジ部１８（後述）の倒れ角を確保する役割をも有している。
【００２２】
クリップベース２４は、図９に示すように同一形状からなる２個のベース本体部４３、４３’とワイパーアーム先端のＵ字フックに係合するＵ字係合部４０（図１参照）とにより構成されている。ベース本体部４３は、リベット４４が挿通される貫通孔４５が形成された起立部４６と、起立部４６を支える座部４７と、座部４７の両側に形成された保持部４８とが一体に形成されたものである。
【００２３】
起立部４６は、起立部４６の側面４６ａと座部４７の側面４７ａとが面一となるように座部４７の端部に形成されている。座部４７の反対側の側面には、係合凸部５０と係合凹部５１とが並設されている。係合凸部５０の先端部には、フック状の係止爪５２が形成されている。係合凹部５１は、係合凸部５０に係合可能な形状を呈しており、係合凹部５１の内部には係止爪５２のフック状部分が引っ掛かる係止溝（又は係止孔）５３が形成されている。
【００２４】
保持部４８は、バーティブラ本体部２１に設置されたスペーサー２３の側面部に幅方向から当接するとともに底面端部で係止して、スペーサー２３及びバーティブラ本体部２１に係合する保持アーム４８ａを備えている。
【００２５】
ベース本体部４３は、保持アーム内幅長がスペーサー２３の外幅長Ｒ４の半分の長さＲ５に規定されており、また、バーティブラ本体部２１の長尺方向の長さが長さＬ４に規定されている。
【００２６】
ベース本体部４３’はベース本体部４３と同一形状であるためその説明を省略する。Ｕ字係合部４０には、リベット４４を挿通させるための軸孔が形成されている。
【００２７】
リフィール１０は、図１０示すように頭部１１と首部１２とエッジ部１３とを有する長尺なゴム部材である。頭部１１には、ホルダー２２の底面係合部３０ａが係合する係合溝１４が形成されている。エッジ部１３は下端に頂上部が位置する逆三角形状の断面形状を呈しており、頂上部でウィンドウ面に摺接することによって雨滴等の払拭を行う。
【００２８】
次に、バーティブラ本体部２１に、ホルダー２２、スペーサー２３、クリップベース２４、リフィール１０を取り付ける方法を説明する。
【００２９】
まず、スペーサー２３の側部開口からバーティブラ本体部２１を挿通させて、バーティブラ本体部２１の中央部にスペーサー２３を移動させる。バーティブラ本体部２１の中央部に移動されたスペーサー２３は、スペーサー２３内に隙間３７が設けられているためある程度上下動を行うことが可能であるが、内部幅長Ｒ３がバーティブラ本体部２１の幅長Ｒ２と同幅か僅かに幅広なだけなので幅方方向での移動は規制される。
【００３０】
次に、バーティブラ本体部２１に形成された凸部２５に、ホルダー２２の嵌合孔３２が嵌入するようにしてホルダー２２をバーティブラ本体部２１に設置する。ホルダー２２をバーティブラ本体部２１に取り付ける場合、まず、図７に示すように、バーティブラ本体部２１をホルダー２２内部の傾斜突起片３５の下側の空間（以下、下部空間とする。）５４に挿通させる。バーティブラ本体部２１の凸部２５がホルダー２２の嵌合孔３２の真下に位置するようにホルダー２２をスライドさせた後に、ホルダー２２の内部上面３１ａをバーティブラ本体部２１の上面２１ａに当接させるようにして、ホルダー２２に対して下向きの力を加え、バーティブラ本体部２１に対して上向きの力を加える。すると、バーティブラ本体部２１の側端部２１ｂが傾斜突起片３５の傾斜面を移動して傾斜突起片３５の先端部を乗り越えて、バーティブラ本体部２１の下面２１ｃが傾斜突起片３５の先端部で支持される状態となるとともに、凸部２５が嵌合孔３２に嵌入されて固定される。特に、バーティブラ本体部２１は、円柱状の弾性金属棒を径方向に圧縮して加工されたものであり、傾斜突起片３５に当接する側面部２１ｂが滑らかな曲面で構成されているので、バーティブラ本体部２１は傾斜突起片３５をスムースに乗り越えることができる。このようしてバーティブラ本体部２１の凸部２５がホルダー２２の嵌合孔３２に嵌入すると、ホルダー２２がバーティブラ本体部２１に固定される。
【００３１】
６個のホルダー２２とスペーサー２３とがバーティブラ本体部２１に取り付けられた後に、クリップベース２４を、スペーサー２３を介してバーティブラ本体部２１の中央部に設置する。クリップベース２４は、ベース本体部４３及びベース本体部４３’の保持アーム４８ａ、４８ａ’のアーム内に、バーティブラ本体部２１及びスペーサー２３の側面部を案内させつつベース本体部４３とベース本体部４３’とを近接させて、ベース本体部４３の係合凸部５０を他のベース本体部４３’の係合凹部５１’に嵌入させるとともに、ベース本体部４３の係合凹部５１にベース本体部４３’の係合凸部５０’を嵌入させてベース本体部４３とベース本体部４３’とを連結させる。このとき、図８に示すように、係合凸部５０の係止爪５２が係合凹部５１’に形成された係止溝（又は係止孔）５３’に係合され、係合凸部５０’の係止爪５２’が係合凹部５１に形成された係止溝（又は係止孔）５３に係合されるので、ベース本体部４３とベース本体部４３’とは強固に連結される。
【００３２】
また、ベース本体部４３とベース本体部４３’との連結により、保持アーム４８ａと保持アーム４８ａ’とは、バーティブラ本体部２１を幅方向（側方）から挟み込んで保持する。
【００３３】
対向する起立部４６と起立部４６’との間にＵ字状係合部４０を配置して、起立部４６、４６’の挿通孔４５、４５’及びＵ字状係合部４０の軸孔にリベット４４を挿通させてかしめることによって、Ｕ字状係合部４０がベース本体部４３、４３’に対して回転可能に取り付けられる。
【００３４】
クリップベース２４がバーティブラ本体部２１に取り付けられた場合、凸部２５ａと凸部２５ｂとの距離Ｌが、クリップベース２４の長さＬ４とホルダー２２の嵌合孔３２の中心から端部までの長さＬ５との和（Ｌ４＋Ｌ５＋Ｌ５）に等しくなるので、クリップベース２４の端面に対してホルダー２２の端面が当接し、ホルダー２２がクリップベース２４の長手方向の移動を規制する。
【００３５】
ホルダー２２とクリップベース２４とが当接するように、バーティブラ本体部２１にホルダー２２及びクリップベース２４を取り付けることによって、バーティブラ本体部２１に位置決め用の切欠部や突部等を形成することなく、さらに位置決め用の特別な部材等を設けることなく、クリップベース２４をバーティブラ本体部２１の所定位置に固定させることができる。
【００３６】
また、クリップベース２４は同一形状のベース本体部４３とベース本体部４３’とを連結して構成されるので、クリップベース２４が２つのバーツ（本体部）により構成されていても、ベース本体部４３、４３’の量産性を高めることができ、製品コストの低減を図ることが可能となる。さらに、ベース本体部４３、４３’を連結するために他の部材等（例えば締結部材等）を用いる必要がないので、部品点数・組み立て工数の増加を抑えることができ、製品コストだけでなく組み立て作業労力の低減を図ることも可能となる。
【００３７】
さらに、幅方向左右に保持アームを有するクリップベースが一体形成されている場合には、バーティブラ本体部２１をクリップベースの対向する保持アームの間に挿通させて、クリップベースをバーティブラ本体部２１の中央部にスライドさせてから、ホルダー２２を取り付ける必要があるが、本発明に係るクリップベースのように、クリップベース２４が一対のベース本体部４３、４３’により構成される場合には、バーティブラ本体部２１を挟み込むようにしてベース本体部４３、４３’を連結すればクリップベース２４をバーティブラ本体部２１に取り付けることができるので、組み付け工程の負担を軽減させることが可能となる。
【００３８】
また、バーティブラ本体部２１の凸部２５をホルダー２２の嵌合孔３２に嵌入させることによって、ホルダー２２をバーティブラ本体部２１に固定するための他の部材を用いることなく確実にバーティブラ本体部２１に固定させることが可能となる。
【００３９】
バーティブラ本体部２１に、６個のホルダー２２と、スペーサー２３と、クリップベース２４とを固定した後に、ホルダー２２の下部空間５４に、バーティブラ本体部２１の長手方向からリフィール１０の頭部１１を挿通させる。リフィール１０をホルダー２２の下部空間５４に挿通させることによって、図１１、１２に示すように、リフィール１０の頭部１１の係合溝１４に底面係合部３０ａが入り込んで、底面係合部３０ａの上面が頭部１１の下面に係合するとともに、頭部１１の側面がホルダー２２の側方係合部３０ｂに当接して横方向（バーティブラ本体部２１の幅方向）の動きを規制する。このため、ホルダー２２の底面係合部３０ａ及び側方係合部３０ｂによりリフィール１０の頭部１１における横方向及び上下方向の動きを規制することができる。
【００４０】
また、リフィール１０の長手方向に関しては、リフィール１０をスライドさせることによってホルダー２２から容易に取り外すことができるので、リフィール１０を簡単に交換することが可能となる。さらに、リフィール１０が劣化した場合には、バーティブラ２０を交換しなくてもリフィール１０だけを交換すれば良いので、リフィール交換に要するコストの低廉化を図ることができる。このように、低コストで簡単にリフィール１０を交換することができるので、常にクリアな視界を確保することが可能となる。
また、ホルダー２２の底面係合部及３０ａ及び側方係合部３０ｂによりリフィール１０の頭部１１の横方向及び上下方向の動きが規制されても、エッジ部１３は規制されていないので払拭時にエッジ部１３を傾斜させることできる。さらに、弓なりに湾曲したバーティブラ本体部２１によりウィンドウ面に均一に付勢力を加えることができ、スペーサー２３に設けられる隙間３７により払拭時にエッジ部１３の先端に無理な加重を加えることなく自由な傾斜状態を許容することができるので、十分な払拭能力を確保することができる。
【００４１】
以上、本発明に係るワイパーのバーティブラ２０について図面を用いて説明を行ったが、本発明に係るバーティブラ２０は上述したものに限定されるものではない。例えば、上述した実施の形態において、ホルダー２２をバーティブラ本体２１に６個取り付けた例を説明したが、ホルダー２２の数は６個には限定されず、６個より多くても少なくても良い。また、ホルダー２２の形状も上述したものには限定されず、バーティブラ本体２１に取り付けられたホルダー２２が、リフィール１０を交換可能に保持することが可能で有ればよい。
【００４２】
さらに、クリップベース２４のベース本体部４３（４３’）に、他のベース本体部４３’（４３）との係合を行うための係合凸部５０（５０’）と係合凹部５１（５１’）とを併設した場合を説明したが、本発明に係るクリップベースは、上述した構造に限定されるものではない。同一形状の本体部が２つ一組となってクリップベースを構成してバーティブラ本体部２１に係合する構造であるならば、本体部の係合凸部及び係合凹部の形状、形成位置等はどのような構成のものであっても良い。
【００４３】
【発明の効果】
以上説明したように、本発明に係るバーティブラを上述のように構造したので、クリップベース取り付けの位置決めを行うためにバーティブラ本体部に対して特別な加工を行うことなくクリップベースをバーティブラ本体部に固定することが可能となる。
【００４４】
また、クリップベースを、同一形状を有する２つのベース本体部を互いに連結させる構成としたので、部品の種類の増加を抑えて部品コストの低廉化を図ることができ、さらにバーティブラ本体に対するクリップベースの組み付けを容易なものとすることが可能となる。
【図面の簡単な説明】
【図１】図１は、本発明に係るバーティブラ及びリフィールを示した展開斜視図である。
【図２】図２は、ホルダーを示した底面図である。
【図３】図３は、ホルダーを示した上面図である。
【図４】図４は、ホルダーの側方係合部及び底面係合部の断面を示した側面図である。
【図５】図５は、ホルダーの傾斜突起片を示した側面図である。
【図６】図６は、図４に示したホルダーのＡ−Ａ断面を示した図である。
【図７】図７は、ホルダーにバーティブラ本体部が挿通されたときを示した断面図である。
【図８】図８は、バーティブラ本体部に取り付けられたスペーサー及びクリップベースを示した断面図である。
【図９】図９は、クリップベースを示した展開斜視図である。
【図１０】図１０は、リフィールの端部を示した斜視図である。
【図１１】図１１は、図１に示したバーティブラを組み立ててリフィールを取り付けた斜視図である。
【図１２】図１２は、図１１に示したバーティブラのＢ−Ｂ断面を示した図である。
【符号の説明】
１０  リフィール
１１  頭部
１３  エッジ部
２０  バーティブラ
２１  バーティブラ本体部
２２  ホルダー
２３  スペーサー
２４  クリップベース
２５  凸部
３０ａ  底面係合部
３０ｂ  側方係合部
３２  嵌合孔
３５  傾斜突起片
４３、４３’  ベース本体部
４６、４６’  起立部
４７、４７’  座部
４８、４８’  保持部
４８ａ、４８ａ’  保持アーム
５０、５０’  係合凸部
５１、５１’  係合凹部
５２、５２’  係止爪
【図１】
2005035340.tif 000003
【図２】
2005035340.tif 000004
【図３】
2005035340.tif 000005
【図４】
2005035340.tif 000006
【図５】
2005035340.tif 000007
【図６】
2005035340.tif 000008
【図７】
2005035340.tif 000009
【図８】
2005035340.tif 000010
【図９】
2005035340.tif 000011
【図１０】
2005035340.tif 000012
【図１１】
2005035340.tif 000013
【図１２】
2005035340.tif 000014